【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
画素に対応してマトリクス上に配設された各フォトセンサにより得られる全画素の撮像電荷が読み出される垂直転送レジスタと、各画素の撮像電荷が上記垂直転送レジスタを介して水平ライン毎に転送されてくる水平転送レジスタと、上記水平転送レジスタから各画素の撮像電荷が撮像信号として出力する出力部とを備える固体イメージセンサの駆動方法であって、１フィールド期間毎に各フォトセンサにより得られる全画素の撮像電荷を垂直転送レジスタに読み出し、上記垂直転送レジスタに読み出した全画素の撮像電荷を１水平走査期間毎に２水平ラインずつ水平転送レジスタに転送し、垂直ライン上で隣接する２画素分の電荷をその組合せを奇数フィールドと偶数フィールドで異ならしめて上記水平転送レジスタにおいて加算合成し、上記水平転送レジスタにより加算合成された２水平ライン分の撮像電荷を１水平ライン分の撮像信号として上記水平転送レジスタから出力部を介して１水平走査期間毎に１水平ラインずつ出力することを特徴する固体イメージセンサの駆動方法。
【請求項２】
画素に対応してマトリクス上に配設された各フォトセンサにより得られる全画素の撮像電荷が読み出される垂直転送レジスタと、各画素の撮像電荷が上記垂直転送レジスタを介して水平ライン毎に転送されてくる水平転送レジスタと、上記水平転送レジスタから各画素の撮像電荷が撮像信号として出力する出力部とを備える固体イメージセンサの駆動方法であって、１フレーム期間毎に各フォトセンサにより得られる全画素の撮像電荷を垂直転送レジスタに読み出し、上記垂直転送レジスタに読み出した全画素の撮像電荷を１水平走査期間毎に１水平ラインずつ水平転送レジスタに転送し、上記水平転送レジスタから各画素の撮像電荷を撮像信号として出力部を介して１水平走査期間毎に１水平ラインずつ出力する全画素読み出しモードと、１フィールド期間毎に各フォトセンサにより得られる全画素の撮像電荷を垂直転送レジスタに読み出し、上記垂直転送レジスタに読み出した全画素の撮像電荷を１水平走査期間毎に２水平ラインずつ水平転送レジスタに転送し、垂直ライン上で隣接する２画素分の電荷をその組合せを奇数フィールドと偶数フィールドで異ならしめて上記水平転送レジスタにおいて加算合成し、上記水平転送レジスタにより加算合成された２水平ライン分の撮像電荷を１水平ライン分の撮像信号として上記水平転送レジスタから出力部を介して１水平走査期間毎に１水平ラインずつ出力するインターレース読み出しモードとに動作モードを切り換えて固体イメージセンサを駆動することを特徴とする固体イメージセンサの駆動方法。
【請求項３】
画素に対応してマトリクス上に配設された各フォトセンサにより得られる全画素の撮像電荷が読み出される垂直転送レジスタと、各画素の撮像電荷が上記垂直転送レジスタを介して水平ライン毎に転送されてくる水平転送レジスタと、上記水平転送レジスタから各画素の撮像電荷が撮像信号として出力する出力部とを備える固体イメージセンサと、１フレーム期間毎に各フォトセンサにより得られる全画素の撮像電荷を垂直転送レジスタに読み出し、上記垂直転送レジスタに読み出した全画素の撮像電荷を１水平走査期間毎に１水平ラインずつ水平転送レジスタに転送し、上記水平転送レジスタから各画素の撮像電荷を撮像信号として出力部を介して１水平走査期間毎に１水平ラインずつ出力する全画素読み出しモードと、１フィールド期間毎に各フォトセンサにより得られる全画素の撮像電荷を垂直転送レジスタに読み出し、上記垂直転送レジスタに読み出した全画素の撮像電荷を１水平走査期間毎に２水平ラインずつ水平転送レジスタに転送し、垂直ライン上で隣接する２画素分の電荷をその組合せを奇数フィールドと偶数フィールドで異ならしめて上記水平転送レジスタにおいて加算合成し、上記水平転送レジスタにより加算合成された２水平ライン分の撮像電荷を１水平ライン分の撮像信号として上記水平転送レジスタから出力部を介して１水平走査期間毎に１水平ラインずつ出力するインターレース読み出しモードとに動作モードを切り換えて上記固体イメージセンサを駆動する駆動手段とを備えることを特徴とする撮像装置。
【手続補正２】
【補正対象書類名】明細書
【補正対象項目名】０００６
【補正方法】変更
【補正の内容】
【０００６】
【課題を解決するための手段】
本発明は、画素に対応してマトリクス上に配設された各フォトセンサにより得られる全画素の撮像電荷が読み出される垂直転送レジスタと、各画素の撮像電荷が上記垂直転送レジスタを介して水平ライン毎に転送されてくる水平転送レジスタと、上記水平転送レジスタから各画素の撮像電荷が撮像信号として出力する出力部とを備える固体イメージセンサの駆動方法であって、１フィールド期間毎に各フォトセンサにより得られる全画素の撮像電荷を垂直転送レジスタに読み出し、上記垂直転送レジスタに読み出した全画素の撮像電荷を１水平走査期間毎に２水平ラインずつ水平転送レジスタに転送し、垂直ライン上で隣接する２画素分の電荷をその組合せを奇数フィールドと偶数フィールドで異ならしめて上記水平転送レジスタにおいて加算合成し、上記水平転送レジスタにより加算合成された２水平ライン分の撮像電荷を１水平ライン分の撮像信号として上記水平転送レジスタから出力部を介して１水平走査期間毎に１水平ラインずつ出力することを特徴する。
【手続補正３】
【補正対象書類名】明細書
【補正対象項目名】０００７
【補正方法】変更
【補正の内容】
【０００７】
また、本発明は、画素に対応してマトリクス上に配設された各フォトセンサにより得られる全画素の撮像電荷が読み出される垂直転送レジスタと、各画素の撮像電荷が上記垂直転送レジスタを介して水平ライン毎に転送されてくる水平転送レジスタと、上記水平転送レジスタから各画素の撮像電荷が撮像信号として出力する出力部とを備える固体イメージセンサの駆動方法であって、１フレーム期間毎に各フォトセンサにより得られる全画素の撮像電荷を垂直転送レジスタに読み出し、上記垂直転送レジスタに読み出した全画素の撮像電荷を１水平走査期間毎に１水平ラインずつ水平転送レジスタに転送し、上記水平転送レジスタから各画素の撮像電荷を撮像信号として出力部を介して１水平走査期間毎に１水平ラインずつ出力する全画素読み出しモードと、１フィールド期間毎に各フォトセンサにより得られる全画素の撮像電荷を垂直転送レジスタに読み出し、上記垂直転送レジスタに読み出した全画素の撮像電荷を１水平走査期間毎に２水平ラインずつ水平転送レジスタに転送し、垂直ライン上で隣接する２画素分の電荷をその組合せを奇数フィールドと偶数フィールドで異ならしめて上記水平転送レジスタにおいて加算合成し、上記水平転送レジスタにより加算合成された２水平ライン分の撮像電荷を１水平ライン分の撮像信号として上記水平転送レジスタから出力部を介して１水平走査期間毎に１水平ラインずつ出力するインターレース読み出しモードとに動作モードを切り換えて固体イメージセンサを駆動することを特徴とする。
【手続補正４】
【補正対象書類名】明細書
【補正対象項目名】０００８
【補正方法】変更
【補正の内容】
【０００８】
さらに、本発明に係る撮像装置は、画素に対応してマトリクス上に配設された各フォトセンサにより得られる全画素の撮像電荷が読み出される垂直転送レジスタと、各画素の撮像電荷が上記垂直転送レジスタを介して水平ライン毎に転送されてくる水平転送レジスタと、上記水平転送レジスタから各画素の撮像電荷が撮像信号として出力する出力部とを備える固体イメージセンサと、１フレーム期間毎に各フォトセンサにより得られる全画素の撮像電荷を垂直転送レジスタに読み出し、上記垂直転送レジスタに読み出した全画素の撮像電荷を１水平走査期間毎に１水平ラインずつ水平転送レジスタに転送し、上記水平転送レジスタから各画素の撮像電荷を撮像信号として出力部を介して１水平走査期間毎に１水平ラインずつ出力する全画素読み出しモードと、１フィールド期間毎に各フォトセンサにより得られる全画素の撮像電荷を垂直転送レジスタに読み出し、上記垂直転送レジスタに読み出した全画素の撮像電荷を１水平走査期間毎に２水平ラインずつ水平転送レジスタに転送し、垂直ライン上で隣接する２画素分の電荷をその組合せを奇数フィールドと偶数フィールドで異ならしめて上記水平転送レジスタにおいて加算合成し、上記水平転送レジスタにより加算合成された２水平ライン分の撮像電荷を１水平ライン分の撮像信号として上記水平転送レジスタから出力部を介して１水平走査期間毎に１水平ラインずつ出力するインターレース読み出しモードとに動作モードを切り換えて上記固体イメージセンサを駆動する駆動手段とを備えることを特徴とする。
【手続補正５】
【補正対象書類名】明細書
【補正対象項目名】００１６
【補正方法】変更
【補正の内容】
【００１６】
そして、上記タイミング信号発生器２８は、上記カメラ制御用マイクロコンピュータ２５から与えられる制御信号によって全画素読み出しモードが設定されると、図４に示すように、２フィールド（２Ｖ）すなわち１フレーム周期（１Ｆ）のセンサゲート信号ＳＧと、１水平走査周期（１Ｈ）の垂直転送クロックＣＫＶと、水平ラインにおける画素数に対応する周波数の水平転送クロックＣＫＨを生成して、上記ＣＣＤイメージセンサ２３を全画素読み出しモードで駆動する。
【手続補正６】
【補正対象書類名】明細書
【補正対象項目名】００１７
【補正方法】変更
【補正の内容】
【００１７】
すなわち、全画素読み出しモードでは、上記ＣＣＤイメージセンサ２３の各フォトセンサＳにより得られる各画素の撮像電荷をセンサゲート信号ＳＧによって垂直転送レジスタＶＲに２フィールドすなわち１フレーム期間（１Ｆ）毎に読み出し、上記垂直転送レジスタＶＲに読み出した全画素の撮像電荷を１水平走査期間（１Ｈ）毎に１水平ラインずつ水平転送レジスタＨＲに転送して、各画素の撮像電荷を上記水平転送レジスタＨＲから水平ライン毎に出力部ＳＯを介して撮像信号として出力することにより、全画素の撮像電荷によるプログレススキャン信号として＃１，＃２，＃３・・・順に各水平ラインの撮像信号を得ることができる。
【手続補正７】
【補正対象書類名】明細書
【補正対象項目名】００１８
【補正方法】変更
【補正の内容】
【００１８】
また、上記タイミング信号発生器２８は、上記カメラ制御用マイクロコンピュータ２５から与えられる制御信号によってインターレース読み出しモードが設定されると、図５に示すように、１フィールド周期（１Ｖ）のセンサゲート信号ＳＧと、１水平走査期間（１Ｈ）毎に２発連続した垂直転送クロックＣＫＶと、水平ラインにおける画素数に対応する周波数の水平転送クロックＣＫＨを生成して、上記ＣＣＤイメージセンサ２３をインターレース読み出しモードで駆動する。
【手続補正８】
【補正対象書類名】明細書
【補正対象項目名】００１９
【補正方法】変更
【補正の内容】
【００１９】
すなわち、インターレース読み出しモードでは、上記ＣＣＤイメージセンサ２３の各フォトセンサＳにより得られる各画素の撮像電荷をセンサゲート信号ＳＧによって垂直転送レジスタＶＲに１フィールド期間（１Ｖ）毎に読み出し、上記垂直転送レジスタＶＲに読み出した全画素の撮像電荷を１水平走査期間（１Ｈ）毎に２水平ラインずつ水平転送レジスタＨＲに転送して、垂直ライン上で隣接する２画素分の電荷を上記水平転送レジスタＨＲにおいて加算合成することにより、水平ライン数を１／２に減少させた各画素の撮像電荷を上記水平転送レジスタＨＲから水平ライン毎に出力部ＳＯを介して撮像信号として出力することにより、全画素の撮像電荷からインターレース信号として撮像信号を得ることができる。上記水平転送レジスタＨＲにおいて加算合成する垂直ライン上で隣接する２画素分の電荷の組合せを奇数フィールドと偶数フィールドで異ならしめることにより、奇数フィールドでは＃１，＃２＋＃３，＃４＋＃５・・・の順に２ライン分を混合した各水平ラインの撮像信号を得ることができ、偶数フィールドでは＃１＋＃２，＃３＋＃４，・・・の順に２ライン分を混合した各水平ラインの撮像信号を得ることができる。
【手続補正９】
【補正対象書類名】明細書
【補正対象項目名】００３５
【補正方法】変更
【補正の内容】
【００３５】
【発明の効果】
本発明に係る固体イメージセンサの駆動方法によれば、１フィールド期間毎に各フォトセンサにより得られる全画素の撮像電荷を垂直転送レジスタに読み出し、上記垂直転送レジスタに読み出した全画素の撮像電荷を１水平走査期間毎に２水平ラインずつ水平転送レジスタに転送し、垂直ライン上で隣接する２画素分の電荷をその組合せを奇数フィールドと偶数フィールドで異ならしめて上記水平転送レジスタにおいて加算合成し、上記水平転送レジスタにより加算合成された２水平ライン分の撮像電荷を１水平ライン分の撮像信号として上記水平転送レジスタから出力部を介して１水平走査期間毎に１水平ラインずつ出力することにより、全画書読み出し対応の固体イメージセンサから撮像信号をインターレース信号として読み出すことができる。
【手続補正１０】
【補正対象書類名】図面
【補正対象項目名】図５
【補正方法】変更
【補正の内容】
【図５】
2000041194.tif 000001